(57)【要約】【課題】光ディスクの記録が高速化、高密度化してもレーザーダイオードの記録品質を落とさないようにする。【解決手段】データ領域ＤａｔａＢｌｏｃｋに情報を記録する前に複数のＡＬＰＣ領域に情報を試し書きしながらレーザーダイオードの出力ＬＤ Ｏｕｔを目標値に調整し、調整されたレーザーダイオードの出力で光ディスクのデータ領域に情報を記録する。【選択図】図３
2010152980.tif 000002
【特許請求の範囲】
【請求項１】
情報の試し書きができる試し書き領域と前記情報の記録ができるデータ領域とが設定されている光ディスクに前記情報を記録する光ディスク記録方法であって、
前記データ領域に前記情報を記録する前に複数の試し書き領域に前記情報を試し書きしてレーザーダイオードの出力を目標値に設定する段階と、
設定された前記レーザーダイオードの出力で前記光ディスクのデータ領域に前記情報を記録する段階と、
を含むことを特徴とする光ディスク記録方法。
【請求項２】
前記レーザーダイオードの出力を目標値に設定する段階は、
前記複数の試し書き領域において最初に試し書きする試し書き領域から最後に試し書きする試し書き領域まで、試し書きする度に前記レーザーダイオードの出力を徐々に上昇させ最終的に前記レーザーダイオードの出力を目標値に設定する段階を含むことを特徴とする請求項１に記載の光ディスク記録方法。
【請求項３】
前記情報を記録する段階は、連続する二つのデータ領域の間に存在する試し書き領域に前記情報を試し書きして、前記レーザーダイオードの出力を前記目標値に設定し直す段階をさらに含むことを特徴とする請求項１に記載の光ディスク記録方法。
【請求項４】
前記試し書き領域に前記情報を試し書きする時間は前記試し書き領域の全域に情報を試し書きする時間よりも短く設定してあることを特徴とする請求項１から３のいずれかに記載の光ディスク記録方法。
【請求項５】
前記試し書き領域に試し書きする情報は前記試し書き領域の全域に情報を試し書きする時間よりも短い時間幅を有する矩形状のパルスを含むことを特徴とする請求項１から４のいずれかに記載の光ディスク記録方法。
【請求項６】
情報の試し書きができる試し書き領域と前記情報の記録ができるデータ領域とが設定されている光ディスクに前記情報を記録する光ディスク記録装置であって、
前記試し書き領域および前記データ領域に情報を記録するレーザーダイオードと、
前記レーザーダイオードが前記データ領域に前記情報を記録する前に複数の試し書き領域に前記情報を試し書きして前記レーザーダイオードの出力を目標値に設定するレーザーダイオード出力設定部と、
を有することを特徴とする光ディスク記録装置。
【請求項７】
前記レーザーダイオード出力設定部は、
前記試し書き領域を認識する試し書き領域認識部と、
試し書き領域が認識される度に試し書き領域内で前記情報を前記レーザーダイオードに出力する情報出力部と、
前記レーザーダイオードで情報を書き込ませレーザーダイオードの出力を目標値に向けて調整するレーザーダイオード出力調整部と、
を有することを特徴とする請求項６に記載の光ディスク記録装置。
【請求項８】
前記試し書き領域が認識される度に試し書き領域内で前記情報を前記レーザーダイオードに出力する時間は前記試し書き領域の全域に情報を出力する時間よりも短く設定してあることを特徴とする請求項７に記載の光ディスク記録装置。
【請求項９】
前記試し書き領域が認識される度に試し書き領域内で前記レーザーダイオードに出力する情報は前記試し書き領域の全域に情報を出力する時間よりも短い時間幅を有する矩形状のパルスを含むことを特徴とする請求項７または８に記載の光ディスク記録装置。
【請求項１０】
請求項６に記載の光ディスク記録装置は、
前記レーザーダイオードが前記データ領域に前記情報を記録するときに前記試し書き領域を用いずに前記データ領域に前記情報を記録しながら前記レーザーダイオードの出力を目標値に設定する標準レーザーダイオード出力設定部をさらに有し、
前記光ディスクの種類または記録速度に応じて前記標準レーザーダイオード出力設定部と前記レーザーダイオード出力設定部とを切り替える切り替えスイッチを有することを特徴とする光ディスク記録装置。
【発明の詳細な説明】
【技術分野】
【０００１】
本発明は、光ディスク記録方法および光ディスク記録装置に係り、特に、記録に先立ち記録時のレーザー出力を光ディスクに設けた複数の試し書きができる領域を利用して設定
する光ディスク記録方法および光ディスク記録装置に関する。
【背景技術】
【０００２】
光ディスクに情報を記録する場合、レーザーダイオードの出力は最適な大きさに調整されていなければならない。レーザーダイオードの出力はレーザーダイオードの温度によって大きく変動するため、記録中に最適な記録が行なえるようにするためには、記録中に最適な大きさの出力が得られるように調整をする必要があるからである。
【０００３】
従来、比較的遅い記録速度で記録が行なわれる光ディスクでは、記録する情報を符号化した信号を利用してレーザーダイオードの出力の調整を行なっても記録中に最適な出力の調整が可能であった。
【０００４】
ところが、記録速度が時代の趨勢により次第に速くなっていくにしたがって、上記のように、記録する情報を符号化した信号を利用する方法では、符号化された信号の時間長が短くなり、記録中の最適な出力の調整が困難になってきた。
【０００５】
このため、下記に示した特許文献１に記載されている発明では次のような方法でレーザーダイオードの出力を最適な大きさに調整している。
【０００６】
記録可能な最小単位（たとえば、セクター、ブロック、クラスター）ごとに、試し書きが行なえるＡＬＰＣ（オート レーザー パワー コントロール）領域を光ディスクに設定しておく。情報の記録に先立って、ＡＬＰＣ領域にレーザーダイオードで試し書きを行ない、そのときのレーザー光の強度をサンプリングする。サンプリングしたレーザー光の強度を目標値と比較し、レーザー光の強度が目標値からずれている場合にはレーザーダイオードの出力を調整（ＡＰＣ：オート パワー コントロール）する。レーザーダイオードの出力の調整後はその出力を維持して光ディスクのデータ領域に情報を記録する。
【０００７】
特許文献１に記載されている発明によれば、ＡＬＰＣ領域は情報の記録・再生には無関係な領域であるため、記録・再生する情報を符号化したときに得られるパルス幅と比較すると非常に長いパルス幅の信号を使用することができる。このため、レーザー光の強度を目標値に設定するために十分な時間を確保することができ、ＡＬＰＣ領域内でＡＰＣを余裕を持って完了させることができる。
【特許文献１】特公平７−１１１７８３号公報（特に図２を参照）
【発明の開示】
【発明が解決しようとする課題】
【０００８】
しかしながら、今後、記録速度の高速化、記録密度の高密度化が進むと、光ディスクがさらに高速回転することになってＡＬＰＣ領域の通過時間が短くなったり、ＡＬＰＣ領域自体の長さが短くなったりする。従来のように、ＡＬＰＣ領域の通過時間がＡＰＣを行なうために必要な時間に対して十分に長い場合には、レーザーダイオードの出力の調整は余裕を持って行なうことが可能であるが、ＡＬＰＣ領域の通過時間がＡＰＣを行なうために必要な時間よりも短くなってしまった場合には、レーザーダイオードの出力の調整が行なえなくなる。
【０００９】
つまり、１つのＡＬＰＣ領域だけでは、ＡＰＣを行なうことができなくなってしまい、これによりレーザーダイオードの出力が目標値に達しないままデータ領域に情報が記録されると、記録開始当初の記録品質が保証できなくなってしまう。
【００１０】
レーザーダイオードの出力の調整が間に合わなくなる位置は、特に、記録開始位置で発生しやすく、レーザーダイオードの出力が目標値に到達するのは複数個のＡＬＰＣ領域を通過した後となってしまう。
【００１１】
本発明は、以上のような従来技術の問題点を解消するためになされたものであり、記録に先立ち記録時のレーザー出力を光ディスクに設けた複数のＡＬＰＣ領域を利用して設定する光ディスク記録方法および光ディスク記録装置の提供を目的とする。
【課題を解決するための手段】
【００１２】
上記目的を達成するための本発明に係る光ディスク記録方法は、情報の試し書きができる試し書き領域と情報の記録ができるデータ領域とが設定されている光ディスクに情報を記録する光ディスク記録方法であって、データ領域に情報を記録する前に複数の試し書き領域に情報を試し書きしてレーザーダイオードの出力を目標値に設定する段階と、設定されたレーザーダイオードの出力で光ディスクのデータ領域に情報を記録する段階と、を含むことを特徴とする。
【００１３】
本発明に係る光ディスク記録方法では、データ領域に情報を記録する前に複数の試し書き領域に情報を試し書きすることによってレーザーダイオードの出力を目標値に設定している。したがって、将来、光ディスクが現在よりもさらに高速化、高密度化したとしても、記録時のレーザーダイオードの出力を目標値に確実に到達させることができ、記録品質の優れた情報記録が可能となる。
【００１４】
上記目的を達成するための本発明に係る光ディスク記録装置は、情報の試し書きができる試し書き領域と情報の記録ができるデータ領域とが設定されている光ディスクに情報を記録する光ディスク記録装置であって、試し書き領域およびデータ領域に情報を記録するレーザーダイオードと、レーザーダイオードがデータ領域に情報を記録する前に複数の試し書き領域に情報を試し書きしてレーザーダイオードの出力を目標値に設定するレーザーダイオード出力設定部とを有する。
【発明の効果】
【００１５】
本発明によれば、データ領域に情報を記録する前に複数の試し書き領域に情報を試し書きしてレーザーダイオードの出力を目標値に設定するようにしたので、将来、光ディスクが現在よりもさらに高速化、高密度化したとしても、情報の記録前にレーザーダイオードの出力を目標値に確実に到達させることができ、記録品質の優れた記録が可能となる。
【発明を実施するための最良の形態】
【００１６】
以下に、本発明に係る光ディスク記録方法および光ディスク記録装置を図面に基づいて詳細に説明する。
【００１７】
本発明の説明に先立って、本発明の有効性を、ブルーレイディスクを例に説明する。
【００１８】
一般的に、記録時のレーザーダイオードの出力を調整するためのＡＰＣの制御帯域は数ＫＨｚ〜十数ＫＨｚである。したがって、レーザーダイオードの出力が目標値に到達するまでに数十μｓｅｃ〜数百μｓｅｃの時間が必要になる。ところが、ブルーレイディスクの場合、ＡＬＰＣ領域に相当するオプショナルＡＰＣ領域の通過時間は基準となる１倍速の場合で５.２μｓｅｃ程度となるので、レーザーダイオードの出力が目標値に到達するまでには少なくとも１０個以上のオプショナルＡＰＣ領域を用いなければならない。
【００１９】
本発明を用いてブルーレイディスクに記録を行なう場合には、記録を行なおうとするデータ領域から１０個以上手前のオプショナルＡＰＣ領域を用いてレーザーダイオードの出力を目標値まで上昇させておく。したがって、記録を行なおうとするデータ領域に到達するまでには、レーザーダイオードの出力を目標値に設定しておくことができ、記録開始当初から記録品質の優れた情報記録が可能となる。
【００２０】
図１は、本発明に係る光ディスク記録装置の概略構成図である。図に示すように、光ディスク記録装置１００は、光ディスク１０を回転させるスピンドルモータ２０と、光ディスク１０に情報を記録するとき、または、光ディスク１０の情報を再生するときにスピンドルモータ２０の回転速度が最適な回転速度になるように制御するスピンドルモータ回転速度制御部３０と、光ディスク１０に情報を記録するとき、または、光ディスク１０の情報を再生するときに、光ディスク１０にレーザー光を照射するレーザーダイオード４０と、光ディスク１０に情報を記録するとき、または、光ディスク１０の情報を再生するときに、レーザーダイオード４０の出力を最適な出力に調整するレーザーダイオード出力設定部５０と、を有している。
【００２１】
光ディスク１０の記録面には情報の試し書きができる試し書き領域（ＡＬＰＣ領域）と情報の記録ができるデータ領域とが設定されている。
【００２２】
スピンドルモータ２０は光ディスク１０を最高１００００ｒｐｍ程度の高速まで段階的にまたは連続的に変速することができる。
【００２３】
スピンドルモータ回転速度制御部３０は、光ディスク１０に情報を記録するときには情報の記録に最も適した回転速度でスピンドルモータ２０を回転させる。また、光ディスク１０の情報を再生するときには情報の読み出しに最も適した回転速度でスピンドルモータ２０を回転させる。
【００２４】
レーザーダイオード４０は情報の記録時には情報の試し書きができるＡＬＰＣ領域と情報の記録ができるデータ領域にレーザー光を照射する。また、情報の再生時には情報が記録されているデータ領域にレーザー光を照射する。
【００２５】
レーザーダイオード出力設定部５０はレーザーダイオード４０がデータ領域に情報を記録する前に複数のＡＬＰＣ領域に情報を試し書きしてレーザーダイオード４０の出力を目標値に調整する。
【００２６】
図２は、図１に示したレーザーダイオード出力設定部５０の具体的な構成を示す図である。
【００２７】
レーザーダイオード出力設定部５０は、ＡＬＰＣ領域／データ領域認識部５１と、情報切り替え部５２と、ＡＬＰＣＡＰＣ信号生成部５３と、ＡＮＤ回路５４と、切り替えスイッチ５５と、記録波形出力部５６とで構成されている。
【００２８】
ＡＬＰＣ領域／データ領域認識部５１は、ＡＬＰＣ領域を認識する試し書き領域認識部として機能する。ＡＬＰＣ領域／データ領域認識部５１は、光ディスク１０からレーザーダイオード４０で読み取った現在のアドレスと、あらかじめ光ディスク１０に設定されているＡＬＰＣ領域およびデータ領域のアドレスとを比較する機能とを有している。また、情報切り替え部５２は、ＡＬＰＣ領域が認識されたときは試し書き情報を、データ領域が認識されたときは記録情報を出力する機能を有している。
【００２９】
ＡＬＰＣＡＰＣ信号生成部５３は、ＡＬＰＣ信号を入力したときにＡＬＰＣ ＡＰＣ信号を出力するものである。ＡＬＰＣ ＡＰＣ信号生成部５３には遅延時間／パルス幅設定の指令が入力される。ＡＬＰＣＡＰＣ信号生成部５３に遅延時間／パルス幅設定の指令が入力されると、ＡＬＰＣ領域に情報を試し書きする時間をＡＬＰＣ領域の全域に情報を試し書きする時間よりも短く設定してＡＰＣを行なう。ＡＰＣを行なうときにＡＬＰＣ領域に試し書きする情報はＡＬＰＣ領域の全域に情報を試し書きする時間よりも短い時間幅を有する矩形状のパルスが用いられる。
【００３０】
ＡＮＤ回路５４は、ＡＬＰＣＡＰＣ信号イネーブル指令がＨＩになっているときにＡＬＰＣ ＡＰＣ信号を出力するものである。ＡＬＰＣ ＡＰＣ信号イネーブル指令がＬＯＷになっているときにはＡＬＰＣＡＰＣ信号は出力されない。
【００３１】
切り替えスイッチ５５は、ＡＬＰＣ領域を用いたレーザー出力制御を行なうのか（ＡＬＰＣＡＰＣ信号イネーブル指令がＨＩ）、ＡＬＰＣ領域を用いずに記録情報を用いてＡＰＣを行なうのか（ＡＬＰＣ ＡＰＣ信号イネーブル指令がＬＯＷ）を切り替えるものである。ＡＬＰＣ領域を用いたＡＰＣを行なう場合には、レーザー出力をモニタするための専用のＡＬＰＣ領域サンプルホールドパルスと記録波形の設定が入力され、これらによりＡＰＣが行なわれる。一方、ＡＬＰＣ領域を用いたＡＰＣを行なわない場合には、データ領域に記録を行なっているレーザー出力をモニタするための専用のデータ領域サンプルホールドパルスと記録波形の設定が入力され、これらによりＡＰＣが行なわれる。
【００３２】
記録波形出力部５６は、情報切り替え部５２から出力される試し書き情報または記録情報を元に、レーザーを駆動するための記録波形やＡＰＣのためのサンプルホールドパルスをＷｒｉｔｅＧａｔｅ信号と共に出力するものである。具体的には、記録波形出力部５６からレーザーダイオード４０の出力を２段階に設定するための記録波形ＬＤ Ｗ１とＬＤＷ２およびこれらの信号によってＡＰＣが行なわれるレーザーダイオード４０の出力のサンプルホールドパルスＷ Ｓａｍｐｌｅ１とＷ Ｓａｍｐｌｅ２が出力される。ＡＰＣのためのサンプルホールドパルスは図示しないＡＰＣの制御部に送られる。記録波形出力部５６はレーザーダイオード出力調整部として機能する。
【００３３】
図３は、レーザーダイオード出力設定部５０の動作を示すタイミングチャートである。
【００３４】
このタイミングチャートは本発明に係る光ディスク記録方法が示されている。すなわち、情報の試し書きができる試し書き領域と情報の記録ができるデータ領域とが設定されている光ディスク１０に情報を記録する光ディスク記録方法であって、データ領域に情報を記録する前に複数の試し書き領域に情報を試し書きしてレーザーダイオード４０の出力を目標値に設定する段階と、設定されたレーザーダイオード４０の出力で光ディスク１０のデータ領域に情報を記録する段階と、を含む光ディスク記録方法を示している。
【００３５】
また、レーザーダイオード４０の出力を目標値に設定する段階は、複数の試し書き領域において最初に試し書きする試し書き領域から最後に試し書きする試し書き領域まで、試し書きする度にレーザーダイオード４０の出力を徐々に上昇させ最終的にレーザーダイオード４０の出力を目標値に設定する段階を含むことも示している。
【００３６】
さらに、情報を記録する段階は、連続する二つのデータ領域の間に存在する試し書き領域に前記情報を試し書きして、レーザーダイオードの出力を目標値に設定し直す段階を含むことも示している。
【００３７】
このタイミングチャートの「Ｂｌｏｃｋ Ｆｏｒｍａｔ」に示してあるように、光ディスク１０の記録面には情報の試し書きが許されるＡＬＰＣ領域（ＡＬＰＣ Ａｒｅａ（ｎ−２）、ＡＬＰＣ Ａｒｅａ（ｎ−１）、ＡＬＰＣ Ａｒｅａ（ｎ）、ＡＬＰＣ Ａｒｅａ（ｎ＋１）、ＡＬＰＣ Ａｒｅａ（ｎ＋２））がデータ領域（Ｄａｔａ Ｂｌｏｃｋ（ｎ−２）、Ｄａｔａ Ｂｌｏｃｋ（ｎ−１）、Ｄａｔａ Ｂｌｏｃｋ（ｎ）、Ｄａｔａ Ｂｌｏｃｋ（ｎ＋１）、Ｄａｔａ Ｂｌｏｃｋ（ｎ＋２））と交互に設定されている。光ディスク１０が回転しているときには、ＡＬＰＣ Ａｒｅａ（ｎ−２）、Ｄａｔａ Ｂｌｏｃｋ（ｎ−２）、…、ＡＬＰＣ Ａｒｅａ（ｎ＋２）、Ｄａｔａ Ｂｌｏｃｋ（ｎ＋２）の順番にレーザーダイオード４０上を通過する。これらのＡＬＰＣ領域とデータ領域は、図２に示したＡＬＰＣ領域／データ領域認識部５１によって認識される。
【００３８】
なお、試し書き領域として用いられるＡＬＰＣ領域には、任意の試し書き情報が記録される。試し書き情報は具体的にはＡＬＰＣＡＰＣ信号に示されているような矩形状のパルスが用いられる。また、データ領域として用いられるＤａｔａ Ｂｌｏｃｋ領域には記録用情報の記録が行なわれる。
【００３９】
このタイミングチャートによれば、情報を記録するのはＤａｔａ Ｂｌｏｃｋ（ｎ）とＤａｔａ Ｂｌｏｃｋ（ｎ＋１）の二つのデータ領域であるが、情報の記録を開始しようとするＤａｔａ Ｂｌｏｃｋ（ｎ）から数えて三つ手前にあるＡＬＰＣ Ａｒｅａ（ｎ−２）からレーザーダイオード４０の出力を目標値に設定する処理を開始している。
【００４０】
図３の示すタイミングチャートを図２のレーザーダイオード出力設定部５０を参照しながら説明する。
【００４１】
ＡＬＰＣ領域／データ領域認識部５１は、レーザーダイオード４０が読み取っている光ディスク１０の現在のアドレスと、光ディスク１０に設定されているＡＬＰＣ領域とデータ領域とのアドレスを比較し、レーザーダイオード４０が現在どの場所をトレースしているのかを認識する。
【００４２】
ＡＬＰＣ領域／データ領域認識部５１が光ディスク１０のＡＬＰＣ領域を認識すると、図に示すようなＡＬＰＣ信号を出力する。
【００４３】
ＡＬＰＣＡＰＣ信号生成部５３は、ＡＬＰＣ信号を入力したときに図に示すようなＡＬＰＣ ＡＰＣ信号を出力する。
【００４４】
ＡＬＰＣＡＰＣ信号生成部５３には、ＡＬＰＣ信号よりも立ち上がりが遅れ、ＡＬＰＣ信号よりも立下りが早くなるようなパルス幅となるように、遅延時間／パルス幅設定の指令が出力されている。このため、レーザーダイオード４０の出力を調整するために試し書き情報が出力されるＡＬＰＣＡＰＣ信号がＨＩになっている時間は、ＡＬＰＣ信号がＨＩになっている時間よりも短くなる。このため、上述のような、試し書き情報がＡＬＰＣ領域からはみ出してデータ領域にも重ね書きされてしまうことを防止することができる。
【００４５】
ＡＬＰＣＡＰＣ信号は、ＡＮＤ回路５４にＡＬＰＣ ＡＰＣ信号イネーブル指令がＨＩで入力されているときにはＡＮＤ回路５４から切り替えスイッチ５５に出力される。切り替えスイッチ５５にＡＬＰＣＡＰＣ信号が入力されているときには、ＡＬＰＣ領域サンプルホールドパルスセットが入力され、切り替えスイッチ５５はＡＬＰＣ領域サンプルホールドパルスセットを入力する。また、記録波形出力部５６は情報切り替え部５２に入力された試し書き情報を入力し、試し書き情報を元に、レーザーを駆動するための記録波形やＡＰＣのためのサンプルホールドパルスをＷｒｉｔｅＧａｔｅ信号と共に出力する。これらの信号の出力によって、レーザーダイオード４０の出力がＬＤ Ｏｕｔで示した波形のように上昇される。
【００４６】
なお、ＡＮＤ回路５４にＡＬＰＣＡＰＣ信号イネーブル指令がＬＯＷで入力されているときにはＡＮＤ回路５４からＡＬＰＣ ＡＰＣ信号が出力されないため、切り替えスイッチはデータ領域サンプルホールドと記録波形の設定を記録波形出力部５６に出力し、情報切り替え部５２に入力された記録情報を用いてレーザーダイオード４０の出力を目標値に設定する。
【００４７】
このように、記録情報を用いてレーザーダイオード４０の出力を目標値に設定する場合、記録波形出力部５６はデータ記録用のレーザーダイオード出力設定部として機能する。また、切り替えスイッチ５５は、データ記録用のレーザーダイオード出力設定部とレーザーダイオード出力設定部とを切り替える機能を有する。
【００４８】
記録波形出力部５６は、試し書き情報／記録情報出力部５６からＡＬＰＣＡＰＣ信号が出力されている時間に収まるＬＤ Ｗ１とＬＤ Ｗ２の二つの信号を出力する。さらに、ＬＤ Ｗ１とＬＤＷ２の二つの信号によってＡＰＣが行なわれるレーザーダイオード４０の出力のそれぞれをサンプリングするＷ Ｓａｍｐｌｅ１とＷ Ｓａｍｐｌｅ２の二つの信号を出力する。
【００４９】
レーザーダイオード４０の出力は、ＬＤＷ１とＷ Ｓａｍｐｌｅ１の信号によって第１のレベルの出力が出るように調整され、ＬＤ Ｗ２とＷ Ｓａｍｐｌｅ２の信号によって第２のレベル出力が出るように調整される。つまり、レーザーダイオード４０の出力は、時間的に二つのレベルを持った出力が得られるように調整される。
【００５０】
なお、ＡＬＰＣ信号のパルス幅とＡＬＰＣＡＰＣ信号のパルス幅の差が大きければ大きいほど、データ領域に試し書き情報が重ね書きされてしまう危険性を回避することができる。しかしながら、むやみにこの差を大きくすることは賢明ではなく、安定したＡＰＣのためには最低限のＡＬＰＣＡＰＣ信号のパルス幅を確保すべきである。
【００５１】
したがって、ＡＬＰＣ信号のパルス幅とＡＬＰＣＡＰＣ信号のパルス幅の差は、記録速度や既に記録された情報の時間的な状態（光ディスク上のウォブル信号との位相差やこれから情報の基準クロックとの位相差など）によって変更することができるようになっていることが望ましい。
【００５２】
ＡＬＰＣ領域／データ領域認識部５１が光ディスク１０のデータ領域を認識すると、情報切り替え部５２は記録情報を入力し、記録波形出力部５６から記録情報を元に、レーザーを駆動するための記録波形やＡＰＣのためのサンプルホールドパルスをＷｒｉｔｅＧａｔｅ信号と共に出力する。この信号の出力によって、データ領域に記録情報が記録される。
【００５３】
以上のレーザーダイオード出力設定部５０の動作を図１を用いて総合的に説明する。
【００５４】
レーザーダイオード出力設定部５０は、Ｄａｔａ Ｂｌｏｃｋ（ｎ−１）のデータ領域まではＡＬＰＣ Ａｒｅａ（ｎ−２）、ＡＬＰＣ Ａｒｅａ（ｎ−１）の二つのＡＬＰＣ領域のみでレーザーダイオード４０を記録時の出力で発光させ試し書きをする。
【００５５】
すなわち、ＡＬＰＣ Ａｒｅａ（ｎ−２）の位置が、レーザーダイオード出力設定部５０によって認識されると、レーザーダイオード出力設定部５０はＡＬＰＣ信号をＨＩに設定し、レーザーダイオード４０の出力を目標値まで上昇させる制御を行なうためにＡＬＰＣＡＰＣ信号もＨＩに設定する。同時にＷｒｉｔｅ信号もＨＩに設定してＡＬＰＣ Ａｒｅａ（ｎ−２）の領域に試し書き情報を出力する。
【００５６】
ＡＬＰＣ信号はＡＬＰＣ領域が認識されている間だけＨＩになり、同時に、ＡＬＰＣ
ＡＰＣ信号とＷｒｉｔｅ信号もＡＬＰＣ信号に同期してＨＩになる。ＡＬＰＣＡＰＣ信号とＷｒｉｔｅ信号がＨＩになっている間、ＡＬＰＣ Ａｒｅａ（ｎ−２）のＡＬＰＣ領域に試し書きが行なわれる。このときのレーザーダイオード４０の出力がレーザーダイオード出力設定部５０にフィードバックされて、ＬＤ Ｏｕｔの領域に見られるように、レーザーダイオード４０の出力が上昇される。
【００５７】
ＡＬＰＣ Ａｒｅａ（ｎ−２）のＡＬＰＣ領域を通過すると、ＡＬＰＣ ＡＰＣ信号とＷｒｉｔｅ信号がＬＯＷになってレーザーダイオード４０の出力制御が中断してしまうが、このときまでに上昇したレーザーダイオード４０の出力は次のＡＬＰＣ領域が認識されるまで保持される。
【００５８】
ＡＬＰＣ Ａｒｅａ（ｎ−２）のＡＬＰＣ領域だけではまだレーザーダイオード４０の出力が目標値まで達しないので、ＡＬＰＣ Ａｒｅａ（ｎ−１）のＡＬＰＣ領域でＡＬＰＣ Ａｒｅａ（ｎ−２）のＡＬＰＣ領域で行なわれたのと同様の試し書きが行なわれる。
【００５９】
ＡＬＰＣ Ａｒｅａ（ｎ−１）のＡＬＰＣ領域でレーザーダイオード４０の出力の設定がされると、ＬＤ Ｏｕｔの領域に見られるように、レーザーダイオード４０の出力が設定値に達する。このように、レーザーダイオード４０の出力はＡＬＰＣ領域を通過する度に目標値に近づいていく。
【００６０】
ＡＬＰＣ Ａｒｅａ（ｎ−１）のＡＬＰＣ領域の途中でレーザーダイオード４０の出力が目標値に到達するので、レーザーダイオード出力設定部５０はレーザーダイオード４０が記録に適した目標値の光量を出力することができる電流値を記憶する。
【００６１】
次に、ＡＬＰＣ Ａｒｅａ（ｎ）のＡＬＰＣ領域に達したときには既にレーザーダイオード４０の出力は目標値に達しているが、ＡＬＰＣ Ａｒｅａ（ｎ）の領域に試し書きをしてレーザーダイオード４０の出力が目標値に設定されているのかを再確認し、その記録パワーでＤａｔａ Ｂｌｏｃｋ（ｎ）のデータ領域に情報を書き込む。さらに、ＡＬＰＣ
Ａｒｅａ（ｎ＋１）のＡＬＰＣ領域に達したときにもＡＬＰＣ Ａｒｅａ（ｎ＋１）の領域に試し書きをしてレーザーダイオード４０の出力が目標値に設定されているのかを再確認し、Ｄａｔａ Ｂｌｏｃｋ（ｎ＋１）のデータ領域に情報を書き込む。
【００６２】
このように、本発明によれば、記録を行なおうとするデータ領域に達する前にレーザーダイオードの出力を記録に適した出力に設定することができるので、記録開始時から最適な記録条件で情報を記録することができ、記録品質の優れた記録ができるようになる。
【００６３】
なお、本実施形態の場合、データ領域の三つ手前のＡＬＰＣ領域からレーザーダーオード４０の出力調整を行なうようにしたが、どの程度手前のＡＬＰＣ領域からレーザーダーオード４０の出力調整を行なうかは、ＡＬＰＣ領域の帯域（長さ）と記録速度、ＡＬＰＣ領域の時間の長さと、間隔によって決めることができる。
【００６４】
上述したブルーレイディスクの場合のように、回転速度および記録密度が大きい場合には、１０以上も手前にあるＡＬＰＣ領域を用いてレーザーダーオード４０の出力調整を行なう。
【００６５】
記録情報を記録しようとするデータ領域の手前に位置するデータ領域に既にデータが記録されている場合には、ＡＬＰＣ領域に試し書き情報が重ね書きされることになる。ＡＬＰＣ領域に記録されている情報は試し書き情報であり、記録情報の再生には全く寄与しないため、ＡＬＰＣ領域に試し書き情報が重ね書きされても、既に記録された情報の再生には何も影響がない。
【００６６】
また、上述した実施形態では、記録を開始しようとするデータ領域の手前側に存在するＡＬＰＣ領域を用いて記録時のレーザーダイオード４０の出力を調整するようにしたが、手前側に存在するＡＬＰＣ領域を用いなくてもレーザーダイオード４０の出力の調整は可能である。レーザーダイオード４０の出力の調整は記録を開始しようとするデータ領域に到達する前に完了していれば良いため、ＡＬＰＣ領域は光ディスク上のどの部分に存在するものを用いても良く、ＡＬＰＣ領域のアドレスを限定する必要もない。
【００６７】
さらに、記録速度が低い場合や、光ディスク上にＡＬＰＣ領域が設けられていない場合には、記録情報を記録している間にレーザーダイオード４０の出力の調整を行なっても良い。
【００６８】
上記のように、既に記録されているデータ領域が存在している場合に、図３に示したように、ＡＬＰＣ領域の時間幅と、レーザーダイオード４０の出力の調整を行なうＡＬＰＣ
ＡＰＣ信号の時間幅が同じであると、ＡＬＰＣ領域に重ね書きされる試し書き情報がＡＬＰＣ領域をはみ出してしまう場合が考えられる。このように、試し書き情報がＡＬＰＣ領域をはみ出すと、直ぐ隣にあるデータ領域に記録されている情報が壊されてしまう。この様なことが起こらないようにするためには、ＡＬＰＣ領域内の開始部分と終了部分に、データ領域に記録されている情報を破壊しないような、たとえば記録情報の再生時に用いる出力までレーザーダイオード４０の出力を低下させる制御領域（ＡＰＣ領域）を設ける。
【００６９】
または、ＡＬＰＣ領域よりも時間的に短い範囲でレーザーダイオード４０の出力の調整をするようにＡＰＣ領域を設ける。
【００７０】
少なくとも、ＡＬＰＣ領域の開始部分の時間は可変できるようにし、記録速度や既に記録された情報の時間的な状態（光ディスク上のウォブル信号との位相差やこれから情報の基準クロックとの位相差など）によって変更することができるようになっていることが望ましい。
【産業上の利用可能性】
【００７１】
本発明は、光ディスクの記録動作に適用することができる。
【図面の簡単な説明】
【００７２】
【図１】本発明に係る光ディスク記録装置の概略構成図である。
【図２】図１に示したレーザーダイオード出力設定部の具体的な構成を示す図である。
【図３】図２のレーザーダイオード出力調整部の動作を示すタイミングチャートである。
【符号の説明】
【００７３】
１０  光ディスク、
２０  スピンドルモータ、
３０  スピンドルモータ回転速度制御部、
４０  レーザーダイオード、
５０  レーザーダイオード出力設定部、
５１  試し書き領域／データ領域認識部、
５２  情報切り替え部、
５３  ＡＬＰＣＡＰＣ信号生成部、
５４  ＡＮＤ回路、
５５  切り替えスイッチ、
５６  記録波形出力部。
【図１】
2010152980.tif 000003
【図２】
2010152980.tif 000004
【図３】
2010152980.tif 000005